(57)【要約】【課題】  拡声器全体の厚さが低減でき、音源ポイントが明確に調整でき、組立て過程中に不良率を低減すること。【解決手段】  盆形状を呈するフレームを含み、前記フレームの内部に中央柱がひとつの体成形してあり、前記中央柱はフレームの開口方向に成形され、前記中央柱の軸方向にひとつの貫通孔が開けてあり、ひとつの固定素子を前記貫通孔に挿通することにより、前記中央柱の上端面には前片と、磁石と、ヨーク状鉄とが組み付けられている。【選択図】図４
0003106583.tif 000002
【実用新案登録請求の範囲】
【請求項１】
盆形状を呈するフレームを含み、
前記フレームの内部に中央柱がひとつの体成形してあり、且つ前記中央柱はフレームの開口方向に成形され、
前記中央柱の軸方向にひとつの貫通孔が開けてあり、ひとつの固定素子を前記貫通孔に挿通することにより、前記中央柱の上端面に前片と、磁石と、ヨーク状鉄とを組み付けたことを特徴とする、
拡声器の構造。
【請求項２】
前記中央柱の貫通孔にはひとつのナットが埋めてあり、固定素子は前記貫通孔内に螺着してあることを特徴とする、請求項１に記載の拡声器の構造。
【請求項３】
前記中央柱の貫通孔の周りに、前記貫通孔と同軸に配列する複数の通風孔が設けてあることを特徴とする、請求項１に記載の拡声器の構造。
【請求項４】
前記中央柱の内部は窪み形状を呈し、且つ中央柱の内部には、固定素子を挿通するための充填用ブロックが設けてあり、前片と、磁石と、ヨーク状鉄とは前記中央柱の上端面に組合ってあることを特徴とする、請求項１に記載の拡声器の構造。
【請求項５】
前記充填用ブロックにはひとつのナットが埋めてあることにより、固定素子が前記ナットを螺合して充填用ブロックの内部を挿通して突出することを特徴とする、請求項１に記載の拡声器の構造。
【考案の詳細な説明】
【技術分野】
【０００１】
本考案は拡声器の構造に係り、特に拡声器全体の厚さが低減でき、音源ポイントが明確に調整でき、組立て過程中に不良率が最低に達成できる拡声器の構造に関するものである。
【背景技術】
【０００２】
図１は従来の内磁式拡声器の断面図であり、その構造はひとつのフレーム１１の内部において、ひとつの音声円筒１２と、ひとつの波状物１３と、ひとつの絹糸１４と、ひとつのドラム紙１５とが内側から外側へ排列してあり、前記ドラム紙１５の中央にはひとつの防塵蓋１６が設けてある。フレーム１１の外周側には電気的に接続するための端子１７が設けてあり、また、フレーム１１の外端部には、ひとつの前片１８と、ひとつの磁石１９と、ひとつのヨーク状鉄２１とが順序に設けてある。なお、図２に示すのは従来の外磁式拡声器の断面図であり、内磁式拡声器と異なったところは、フレーム１１の外端部には、ひとつの前片２２と、ひとつの第ひとつの磁石２３と、ひとつの後片２４と、ひとつの第二磁石２５と、ひとつの磁気防止蓋２６とが順序に設けてある。
【考案の開示】
【考案が解決しようとする課題】
【０００３】
しかしながら、それらは使用上または組立て上に次のような欠点があった。
（１）内磁式拡声器と外磁式拡声器とは、全体の厚さが厚いので、拡声器は小さい空間を持つ製品に適用できなく、内磁式拡声器と外磁式拡声器とを小さい空間を持つ製品に無理に取り付けば、音質およびパワー効率が低下になった。
【０００４】
（２）従来のフレーム１１は加工および組立ての過程中で、各部材を配置するときに、位置決めを正確にすることができないので、不良品が増加した。
【０００５】
（３）拡声器は、使用しているときに音質がはっきりしなかった。
【０００６】
（４）図３に示すように、二つの内磁式拡声器を箱２７に組立てて、ドラム紙１５の間には仕切り構造がないので、二つの拡声器の出力の音源ポイントが不明確になる。ひとつの方、拡声器の占める空間が極めて大きいので、組立てるための箱２７の空間も大きくなり、結局、設計不良は従来から改善できなかった。
【０００７】
本考案の主な目的は、拡声器全体の厚さを低減でき、出力効率および磁気防止効果をそのままに保持する前提で、空間がより小さい製品に適用できる拡声器の構造を提供する。
【０００８】
本考案の次の目的は、組立ての過程中での拡声器の不良率を低減できる拡声器の構造を提供する。
【０００９】
本考案の他の目的は、拡声器の音質が良くになる拡声器の構造を提供する。
【００１０】
本考案のもうひとつの目的は、拡声器の音源ポイントがもっと明確になる拡声器の構造を提供する。
【課題を解決するための手段】
【００１１】
上記目的を達成するためになされた本願に係る第１の考案は、盆形状を呈するフレームを含み、前記フレームの内部に中央柱がひとつの体成形してあり、且つ前記中央柱はフレームの開口方向に成形され、前記中央柱の軸方向にひとつの貫通孔が開けてあり、ひとつの固定素子を前記貫通孔に挿通することにより、前記中央柱の上端面には前片と、磁石と、ヨーク状鉄とが組合ってあることを特徴とする拡声器の構造であることを要旨としている。
【００１２】
本願の考案では、前記中央柱の貫通孔にはひとつのナットが埋めてあり、固定素子は前記貫通孔内に螺着してあることを特徴とする第１の考案に記載の拡声器の構造であることを要旨としている。
【００１３】
本願の考案では、前記中央柱の貫通孔の周りに、前記貫通孔と同軸に配列する複数の通風孔が設けてあることを特徴とする第１の考案に記載の拡声器の構造であることを要旨としている。
【００１４】
本願の考案では、前記中央柱の内部は窪み形状を呈し、且つ中央柱の内部には、固定素子を挿通するための充填用ブロックが設けてあることにより、前片と、磁石と、ヨーク状鉄とは前記中央柱の上端面に組合ってあることを特徴とする第１の考案に記載の拡声器の構造であることを要旨としている。
【００１５】
本願の考案では、前記充填用ブロックにはひとつのナットが埋めてあることにより、固定素子が前記ナットを締結して充填用ブロックの内部を挿通し突出することを特徴とする第１の考案に記載の拡声器の構造であることを要旨としている。
【考案の効果】
【００１６】
本考案に係る拡声器の構造によれば、次のような効果がある。
（１）拡声器全体の厚さを低減でき、出力効率および磁気防止効果をそのままに保持する前提で、空間がより小さい製品に適用できる。
【００１７】
（２）組立ての過程中での拡声器の不良率を低減できる。
【００１８】
（３）拡声器の音質が良くになる。
【００１９】
（４）拡声器の音源ポイントがもっと明確になる。
【考案を実施するための最良の形態】
【００２０】
以下、添付図面を参照して本考案の好適な実施の形態を詳細に説明する。
【００２１】
まず、図４を参照する。本考案に係る拡声器の構造は、盆形状を呈するフレーム３０を含み、前記フレーム３０の内部の底面３１の中央に中央柱４０がひとつの体成形してあり、且つ前記中央柱４０はフレーム３０の開口方向に成形され、前記中央柱４０の軸方向にひとつの貫通孔４１が開けてあり、前記貫通孔４１にはひとつのナット４２が埋めてあり、前記中央柱４０の外周側にひとつの音声円筒５１が嵌めてあり、且つフレーム３０の内部の周側面３２には、波状物５２と、絹糸５３と、円錐形状を呈するドラム紙５４とが内側から外側へ順序に設けてあり、前記ドラム紙５４が音声円筒５１の周面に貼り付けられ、ひとつの固定素子６０が貫通孔４１を挿通しナットと螺合することにより、中央柱４０の上端面には前片５５と、磁石５６と、ヨーク状鉄５７とが順序に組合ってあり、また、フレーム３０の外周側には電気的に接続するための端子５８が設けてある。
【００２２】
フレーム３０の開口方向にひとつの中央柱４０が設けてある。前記中央柱４０の上端面に前片５５と、磁石５６と、ヨーク状鉄５７となどの部材が順序に組み付けられている。前片５５と、磁石５６と、ヨーク状鉄５７とはフレーム３０の外端部から外側へ設置することが必要ないため、拡声器全体の厚さを低減でき、且つ出力効率を影響しない前提で、空間のより小さい製品（例えば、TFT液晶テレビ、LCD液晶テレビおよびプラズマテレビ、又は自動車用や家庭用のミニコンポー）に取付けることができる。
【００２３】
また、本考案は更に次のような長所がある。
（１）本考案に係るフレーム３０が従来のフレームを取り替え、且つフレーム３０の開口方向に中央柱４０がひとつの体成形してあるので、中央柱４０がフレーム３０の底面の中央に精確に成形することができ、拡声器の各部材は中央柱４０の上端面に精確に配置することができ、芯だしプロセスが省略できるので、組立て過程中での拡声器の不良率が低減でき、生産コストも低減になる。
【００２４】
（２）図５に示すように、中央柱４０はフレーム３０の底面の中央に成形され、且つ中央柱４０の周面に波状物５２と音声円筒５１とが嵌めてあり、音声円筒５１の周面とフレーム３０との間にはドラム紙５４が設けてあるので、中央柱４０がドラム紙５４の中央に位置するため、ドラム紙５４の間には中央柱４０の仕切り構造を有することにより、拡声器の使用過程中に、ドラム紙５４で発生する音波（二点鎖線で示すように）が中央柱４０（ヨーク状鉄５７を含み）を当たった後、音波の屈折が極めて明確になり、拡声器の音質が向上する。
【００２５】
（３）図６に示すように、本考案に係る拡声器を箱７０に組立てることができ、上記と同様のように中央柱４０がフレーム３０の開口方向に設置され、なお、中央柱４０がドラム紙５４の中央から突出し露出するので、ドラム紙５４で発生する音波が中央柱４０に反射される軌跡がきちんとしているので、拡声器の間の音波の方向が明確になり、拡声器の間で発生する音源ポイントＡが極めて明確になるので、拡声器の音質がもっと良くなる。ひとつの方、出力効率をそのままに保持する前提で、全体の厚さを低減できるので、空間のより小さい箱に適用できる。
【００２６】
特に、図７に示すように、中央柱４０の貫通孔４１の周りに、前記貫通孔４１と同軸に配列する複数の通風孔４３が設けてあり、前記通風孔４３は、二個、四個や六個で対称に成形することができる。これにより、上記の長所を持つと共に、拡声器を箱に組立てて使用するときに、中央柱４０の軸方向に複数の通風孔４３が設けてあり、エヤが通風孔４３を通過できるので、拡声器が振動しているときに発生する空気圧を平衡することができ、拡声器の音質が向上する。
【００２７】
最後に、図８を参照する。それは本考案の他の実施形態であり、フレーム３０にひとつの体成形された中央柱４０は、その内部が窪み形状を呈し、且つ中央柱４０の内部には、固定素子６０を挿通するための充填用ブロック８０が設けてあり、且つ充填用ブロック８０の内部にひとつのナット８１が埋めてあることにより、前片５５と、磁石５６と、ヨーク状鉄５７とは前記中央柱４０の上端面に組合ってある。これにより、上記と同様な効果および長所を得ることができる。
【図面の簡単な説明】
【００２８】
【図１】従来の内磁式拡声器の断面図である。
【図２】従来の外磁式拡声器の断面図である。
【図３】従来の内磁式拡声器を箱に取付けた後の使用状態を示す概略図である。
【図４】本考案の断面図である。
【図５】本考案の使用状態を示す概略図である。
【図６】本考案に係る拡声器を箱に取付けた後の使用状態を示す概略図である。
【図７】本考案に係る拡声器が中央柱に通風孔を成形した状態を示す断面図である。
【図８】本考案に係るフレームの他の実施形態の断面図である。
【符号の説明】
【００２９】
１１      フレーム              １１１    貫通孔
１２      音声円筒              １３      波状物
１４      絹糸                  １５      ドラム紙
１６      防塵蓋                １７      端子
１８      前片                  １９      磁石
２１      ヨーク状鉄            ２２      前片
２３      第ひとつの磁石        ２４      後片
２５      第二磁石              ２６      磁気防止蓋
３０      フレーム              ３１      底面
３２      周側面
４０      中央柱                ４１      貫通孔
４２      ナット                ４３      通風孔
５１      音声円筒              ５２      波状物
５３      絹糸                  ５４      ドラム紙
５５      前片                  ５６      磁石
５７      ヨーク状鉄            ５８      端子
６０      固定素子
７０      箱
８０      充填用ブロック        ８１      ナット
Ａ        音源ポイント
【図１】
0003106583.tif 000003
【図２】
0003106583.tif 000004
【図３】
0003106583.tif 000005
【図４】
0003106583.tif 000006
【図５】
0003106583.tif 000007
【図６】
0003106583.tif 000008
【図７】
0003106583.tif 000009
【図８】
0003106583.tif 000010